(57)【特許請求の範囲】
【請求項１】
釣合重りを昇降路に対して搬出入する際に用いられるエレベータ釣合重り搬出入装置であって、
ガイドレールに固定される固定部材と、
前記固定部材と乗場とに渡って設けられる引出レールと、
前記引出レールを転動するローラを有し、前記釣合重りに取り付けられるローラ装置と
を備え、
前記ローラが前記引出レールを転動することによって、前記釣合重りが前記昇降路から前記乗場に搬出されることを特徴とするエレベータ釣合重り搬出入装置。
【請求項２】
前記引出レールは、前記ローラの幅方向の移動を規制する規制部を有していることを特徴とする請求項１に記載のエレベータ釣合重り搬出入装置。
【請求項３】
前記引出レールにおける前記ローラが転動する転動面は、前記固定部材から前記乗場に向かうにつれて高さが低くなるように形成されていることを特徴とする請求項１または請求項２に記載のエレベータ釣合重り搬出入装置。
【請求項４】
前記ローラ装置は、前記釣合重りにおける長手方向両端部のそれぞれに配置されており、
それぞれの前記ローラ装置は、前記釣合重りの位置が傾倒位置である場合に、前記釣合重りを支持することを特徴とする請求項１から請求項３までの何れか一項に記載のエレベータ釣合重り搬出入装置。
【請求項５】
前記昇降路のピットに設けられ、前記固定部材を支持する支持部材をさらに備えたことを特徴とする請求項１から請求項４までの何れか一項に記載のエレベータ釣合重り搬出入装置。
【請求項６】
釣合重りを昇降路に対して搬出入する際に用いられるエレベータ釣合重り搬出入装置であって、
ガイドレールに固定される固定部材と、
前記固定部材と乗場とに渡って設けられる引出レールと
を備え、
前記引出レールは、前記釣合重りが前記引出レールに沿って移動するように前記釣合重りをスライド可能に支持し、
前記釣合重りが前記引出レールに対してスライドすることによって、前記釣合重りが前記昇降路から前記乗場に搬出されることを特徴とするエレベータ釣合重り搬出入装置。
【請求項７】
前記乗場に設けられ、前記引出レールを通過した前記釣合重りを支持する台車をさらに備えたことを特徴とする請求項６に記載のエレベータ釣合重り搬出入装置。
【請求項８】
前記台車は、前記釣合重りが前記台車に対して前記昇降路の奥行方向に移動するように前記釣合重りをスライド可能に支持することを特徴とする請求項７に記載のエレベータ釣合重り搬出入装置。
【発明の詳細な説明】
【技術分野】
【０００１】
この発明は、釣合重りを昇降路に対して搬出入する際に用いられるエレベータ釣合重り搬出入装置に関する。
【背景技術】
【０００２】
従来、昇降路に支持された揚重装置を備え、揚重装置を用いて既設の釣合重りを昇降路のピットまで吊り降ろすエレベータ釣合重り搬出入装置が知られている。ピットに吊り降ろされた釣合重りは、ピット内で解体され、解体された釣合重りはピットから乗場に搬出される（例えば、特許文献１参照）。
【先行技術文献】
【特許文献】
【０００３】
【特許文献１】特開平１１−３４９２５５号公報
【発明の概要】
【発明が解決しようとする課題】
【０００４】
しかしながら、ピットまで吊り降ろされた釣合重りをピット内で解体し、解体された釣合重りをピットから乗場に搬出するので、既設の釣合重りを昇降路から乗場に搬出する作業効率が悪いという問題点があった。
【０００５】
この発明は、既設の釣合重りを昇降路から乗場に搬出する作業効率を向上させることができるエレベータ釣合重り搬出入装置を提供するものである。
【課題を解決するための手段】
【０００６】
この発明に係るエレベータ釣合重り搬出入装置は、釣合重りを昇降路に対して搬出入する際に用いられるエレベータ釣合重り搬出入装置であって、ガイドレールに固定される固定部材と、固定部材と乗場とに渡って設けられる引出レールと、引出レールを転動するローラを有し、釣合重りに取り付けられるローラ装置とを備え、ローラが引出レールを転動することによって、釣合重りが昇降路から乗場に搬出される。
【発明の効果】
【０００７】
この発明に係るエレベータ釣合重り搬出入装置によれば、ローラ装置が引出レールに沿って移動することによって釣合重りが昇降路から乗場に搬出されるので、既設の釣合重りを昇降路から乗場に搬出する作業効率を向上させることができる。
【図面の簡単な説明】
【０００８】
【図１】この発明の実施の形態１に係るエレベータ釣合重り搬出入装置を示す正面図である。
【図２】図１のエレベータ釣合重り搬出入装置の要部を示す側面図である。
【図３】図１の固定部材を示す拡大図である。
【図４】図１の引出レールおよびローラ装置を示す拡大図である。
【図５】この発明の実施の形態２に係るエレベータ釣合重り搬出入装置を示す正面図である。
【図６】図５のエレベータ釣合重り搬出入装置の要部を示す側面図である。
【図７】この発明の実施の形態３に係るエレベータ釣合重り搬出入装置を示す正面図である。
【図８】図７のエレベータ釣合重り搬出入装置の要部を示す拡大図である。
【図９】この発明の実施の形態４に係るエレベータ釣合重り搬出入装置を示す正面図である。
【図１０】図９のエレベータ釣合重り搬出入装置を示す側面図である。
【図１１】図９のエレベータ釣合重り搬出入装置の要部を示す拡大図である。
【発明を実施するための形態】
【０００９】
実施の形態１．
図１はこの発明の実施の形態１に係るエレベータ釣合重り搬出入装置を示す正面図、図２は図１のエレベータ釣合重り搬出入装置の要部を示す側面図である。図において、エレベータは、昇降路１００に立てられた一対のガイドレール１０１と、ガイドレール１０１に案内されて昇降する釣合重り１０２とを備えている。釣合重り１０２には、ロープ（図示せず）の一端部が接続されている。ロープの他端部には、かご（図示せず）が接続されている。ロープの移動にともなって、釣合重り１０２およびかごが互いに反対方向に昇降する。
【００１０】
釣合重り１０２は、釣合重り枠１０３と、釣合重り枠１０３に支持される複数の重り板１０４と、釣合重り枠１０３に設けられ、ガイドレール１０１に案内されるガイドシュー（図示せず）を有している。複数の重り板１０４は、高さ方向に重ねて配置されている。
【００１１】
エレベータ釣合重り搬出入装置は、釣合重り１０２よりも下方で一対のガイドレール１０１に固定される固定部材１と、固定部材１と乗場１０５とに渡って設けられる一対の引出レール２Ａと、釣合重り１０２の長手方向両端部のそれぞれに設けられた複数のローラ装置３Ａと、釣合重り１０２よりも上方で一対のガイドレール１０１に固定される固定部材４と、固定部材４に取り付けられ、釣合重り１０２を支持する支持装置５とを備えている。
【００１２】
ガイドレール１０１は、釣合重り１０２のガイドシューを案内するレール本体部１０６と、レール本体部１０６の背面側に設けられ、レール本体部１０６から幅方向外側に突出する平板部１０７とを有している。
【００１３】
固定部材１は、それぞれのガイドレール１０１に支持される一対の支持部１１と、それぞれの支持部１１に渡って設けられる横板１２とを有している。図３は図１の固定部材１の要部を示す拡大図である。支持部１１は、平板部１０７の背面に接触する背面部１３と、平板部１０７の前面に接触するカム部１４と、背面部１３とカム部１４とに渡って設けられる連結部１５とを有している。カム部１４の中心部分は、回動軸１６を介して連結部１５に連結されている。カム部１４は、回動軸１６を中心に回動可能となっている。カム部１４における回動軸１６よりも背面部１３から離れた部分には、横板１２が接続されている。横板１２に下方への力が加えられることによって、カム部１４はカム部１４と背面部１３との間が近づく方向に回動し、カム部１４と背面部１３とによって平板部１０７が挟まれる。これにより、固定部材１がガイドレール１０１に支持される。
【００１４】
図２に示すように、引出レール２Ａは、一端部が横板１２に支持され、他端部が乗場１０５に支持される。引出レール２Ａは、昇降路１００の奥行方向に延びて配置される。
【００１５】
図４は図１の引出レール２Ａおよびローラ装置３Ａを示す拡大図である。引出レール２Ａは、断面Ｌ字形状に形成されている。つまり、引出レール２Ａは、横板１２に重ねられる底板部２１と、底板部から高さ方向に延びる縦板部２２とを有している。引出レール２Ａは、ボルト２３を用いて横板１２に固定される。
【００１６】
ローラ装置３Ａは、釣合重り１０２の幅方向に延びる回転軸３１と、釣合重り枠１０３に固定され、回転軸３１を支持する支持部３２と、回転軸３１を中心に回転するローラ３３Ａとを有している。支持部３２は、ボルト３４を用いて釣合重り枠１０３に固定される。釣合重り枠１０３には、ガイドシューを釣合重り枠１０３に取り付けるためのボルト３４が挿入される孔（図示せず）が形成されている。支持部３２にも、ボルト３４が挿入される孔（図示せず）が形成されている。釣合重り枠１０３の孔と、支持部３２の孔とは、互いに重なるように配置されている。支持部３２は、ガイドシューを取り付けるためのボルト３４を流用して、釣合重り枠１０３に固定される。
【００１７】
ローラ３３Ａの外周面には、引出レール２Ａの縦板部２２が挿入される溝３３１が形成されている。溝３３１に引出レール２Ａの縦板部２２が挿入されることによって、ローラ装置３Ａの移動が引出レール２Ａに沿った方向に規制される。つまり、昇降路１００の幅方向についてのローラ装置３Ａの移動が規制され、ローラ装置３Ａの移動は、昇降路１００の奥行方向に規制される。この例では、引出レール２Ａの縦板部２２が、ローラ３３Ａの幅方向の移動を規制する規制部となっている。
【００１８】
図１に示すように、固定部材４は、固定部材１と同様に、それぞれのガイドレール１０１に支持される一対の支持部４１と、それぞれの支持部４１に渡って設けられる横板４２とを有している。支持部４１は、支持部１１と同様の構成となっている。
【００１９】
図２に示すように、ローラ装置３Ａは、釣合重り１０２の長手方向両端部に取り付けられている。つまり、ローラ装置３Ａは、釣合重り１０２の第１端部（下端部）と第２端部（上端部）とに取り付けられている。それぞれのローラ装置３Ａのローラ３３Ａは、釣合重り１０２における背面よりも表面から離れる方向に背面から突出するように配置されている。
【００２０】
図１に示すように、支持装置５は、横板４２に支持されるチェーンブロック（揚重装置）５１と、チェーンブロック５１と釣合重り枠１０３とに繋ぐワイヤ５２とを有している。チェーンブロック５１は、固定部材４の横板４２と係合するフック部５３と、ワイヤ５２に係合されるフック部５４とを有している。チェーンブロック５１が駆動することによって、フック部５３が昇降する。
【００２１】
次に、エレベータ釣合重り搬出入装置を用いたエレベータ釣合重り搬出入方法について説明する。まず、固定部材４をガイドレール１０１に取り付ける。
【００２２】
その後、支持装置５を固定部材４に取り付け、チェーンブロック５１を駆動させて、釣合重り１０２を持ち上げる（釣合重り支持工程）。
【００２３】
その後、釣合重り１０２からガイドシューを取り外し、ガイドシューが取り外された釣合重り１０２の部分にローラ装置３Ａを取り付ける。このとき、ローラ装置３Ａを釣合重り１０２に取り付けるボルト３４は、ガイドシューを釣合重り１０２に固定する際に用いられていたボルト３４を流用する。
【００２４】
その後、固定部材１をガイドレール１０１に取り付け、さらに、固定部材１と乗場１０５とに渡って引出レール２Ａを設置する（引出レール設置工程）。
【００２５】
その後、チェーンブロック５１を駆動させることによってフック部５４を下方に移動させて、釣合重り１０２の第１端部に取り付けられたローラ装置３Ａを引出レール２Ａに載せる。
【００２６】
その後、さらにフック部５４を下方に移動させながら、釣合重り１０２の第１端部が乗場１０５側に移動するように、釣合重り１０２の位置を起立位置から傾倒位置に変位させる（釣合重り降下工程）。ここで、起立位置とは、釣合重り１０２が高さ方向に延びて配置されている場合の釣合重り１０２の位置であり、傾倒位置とは、乗場出入口の高さ方向の寸法よりも釣合重り１０２の高さ方向の寸法が小さくなるように釣合重り１０２の長手方向が高さ方向に対して交差する方向に延びる場合の釣合重り１０２の位置であり、釣合重り１０２が昇降路１００から乗場１０５に搬出される場合の釣合重り１０２の位置である。この例では、傾倒位置は、釣合重り１０２が水平方向に延びて配置された場合の釣合重り１０２の位置である。
【００２７】
釣合重り１０２の位置が傾倒位置となると、釣合重り１０２の第１端部に取り付けられているローラ装置３Ａに加えて、釣合重り１０２の第２端部に取り付けられているローラ装置３Ａも、釣合重り１０２を支持する。
【００２８】
釣合重り１０２の第２端部に取り付けられたローラ装置３Ａが引出レール２Ａの載せられると、釣合重り１０２から支持装置５を取り外し、作業者が釣合重り１０２またはローラ装置３Ａを乗場１０５に向かって押して、釣合重り１０２およびローラ装置３Ａを昇降路１００から乗場１０５に搬出する（釣合重り搬出工程）。釣合重り１０２の乗場１０５から昇降路１００への搬入は、釣合重り１０２の昇降路１００から乗場１０５への搬出の逆の方法で行われる。
【００２９】
以上説明したように、この発明の実施の形態１に係るエレベータ釣合重り搬出入装置によれば、ガイドレール１０１に固定される固定部材１と、固定部材１と乗場１０５とに渡って設けられる引出レール２Ａと、引出レール２Ａを転動するローラ３３Ａを有し、釣合重り１０２に取り付けられるローラ装置３Ａとを備え、ローラ３３Ａが引出レール２Ａを転動することによって、釣合重り１０２が昇降路１００から乗場１０５に搬出されるので、ローラ装置３Ａが引出レール２Ａに沿って移動することによって釣合重り１０２が昇降路１００から乗場１０５に搬出され、既設の釣合重り１０２を昇降路１００から乗場１０５に搬出する作業効率を向上させることができる。また、乗場１０５のピットに足場を組み立てる必要が無いので、既設の釣合重り１０２を昇降路１００から乗場１０５に搬出する作業効率を向上させることができる。
【００３０】
引出レール２Ａは、ローラ３３Ａの幅方向の移動を規制する規制部を有しているので、ローラ装置３Ａを引出レール２Ａに沿って容易に移動させることができる。
【００３１】
また、ローラ装置３Ａは、釣合重り１０２における長手方向両端部のそれぞれに配置されており、それぞれのローラ装置３Ａは、釣合重り１０２の位置が傾倒位置である場合に、釣合重り１０２を支持するので、釣合重り１０２を引出レール２Ａに沿って容易に移動させることができる。
【００３２】
実施の形態２．
図５はこの発明の実施の形態２に係るエレベータ釣合重り搬出入装置を示す正面図、図６は図５のエレベータ釣合重り搬出入装置の要部を示す側面図である。図において、引出レール２Ｂにおけるローラ３３Ａが転動する転動面は、固定部材１から乗場１０５に向かうにつれて高さが低くなるように形成されている。具体的には、引出レール２Ｂの縦板部２２の上面は、固定部材１から乗場１０５に向かうにつれて高さが低くなるように形成されている。その他の構成は、実施の形態１と同様である。
【００３３】
以上説明したように、この発明の実施の形態２に係るエレベータ釣合重り搬出入装置によれば、引出レール２Ｂにおけるローラ３３Ａが転動する転動面は、固定部材１から乗場１０５に向かうにつれて高さが低くなるように形成されているので、ローラ装置３Ａを引出レール２Ｂに載せることによって、ローラ装置３Ａが昇降路１００から乗場１０５に向かう力をローラ装置３Ａに加えることができる。これにより、釣合重り１０２を容易に昇降路１００から乗場１０５に搬出することができる。
【００３４】
実施の形態３．
図７はこの発明の実施の形態３に係るエレベータ釣合重り搬出入装置を示す正面図、図８は図７のエレベータ釣合重り搬出入装置の要部を示す拡大図である。図において、ローラ装置３Ｂは、釣合重り１０２の幅方向に延びる回転軸３１と、釣合重り枠１０３に固定され、回転軸３１を支持する支持部３２と、回転軸３１を中心に回転するローラ３３Ｂとを有している。ローラ３３Ｂには、実施の形態１とは異なり、溝が形成されていない。ローラ３３Ｂは、引出レール２Ｃの底板部２１を転動するように配置されている。ローラ装置３Ｂは、引出レール２Ｃの縦板部２２によって、幅方向への移動が規制されている。
【００３５】
また、エレベータ釣合重り搬出入装置は、昇降路１００のピット１０８に設けられ、固定部材１を支持する複数のサポート（支持部材）６を備えている。サポート６は、高さ方向の寸法が調整可能となっている。サポート６は、固定部材１の横板１２を支持している。その他の構成は、実施の形態１と同様である。なお、実施の形態２と同様に、引出レール２Ｃにおけるローラ３３Ｂが転動する転動面を、固定部材１から乗場１０５に向かうにつれて高さが低くなるように形成してもよい。
【００３６】
以上説明したように、この発明の実施の形態３に係るエレベータ釣合重り搬出入装置によれば、昇降路１００のピット１０８に設けられ、固定部材１を支持するサポート６を備えているので、固定部材１をより強度にガイドレール１０１に対して固定することができる。
【００３７】
なお、各上記実施の形態では、引出レールが断面Ｌ字形状に形成された構成について説明したが、断面Ｌ字形状に限らず、例えば、断面Ｉ字形状、断面Ｈ字形状、断面Ｕ字形状または断面Ｃ字形状などに形成された構成であってもよい。
【００３８】
実施の形態４．
図９はこの発明の実施の形態４に係るエレベータ釣合重り搬出入装置を示す正面図、図１０は図９のエレベータ釣合重り搬出入装置を示す側面図、図１１は図９のエレベータ釣合重り搬出入装置の要部を示す拡大図である。図において、引出レール２Ｄは、断面Ｕ字形状のレール本体部２４と、レール本体部２４に回転可能に支持された複数のローラ２５とを有している。それぞれのローラ２５は、レール本体部２４に沿って並べられている。引出レール２Ｄは、釣合重り１０２が引出レール２Ｄに沿って移動するように釣合重り１０２をスライド可能に支持する。釣合重り１０２が引出レール２Ｄに対してスライドすることによって、釣合重り１０２が昇降路１００から乗場１０５に搬出される。
【００３９】
また、エレベータ釣合重り搬出入装置は、乗場１０５に設けられ引出レール２Ｄを通過した釣合重り１０２を支持する台車７を備えている。台車７は、台車本体部７１と、台車本体部７１に支持され、複数のローラ７２とを有している。引出レール２Ｄを通過した釣合重り１０２は、ローラ７２に載せられる。つまり、台車７は、釣合重り１０２が台車７に対して昇降路１００の奥行方向に移動するように釣合重り１０２をスライド可能に支持する。その他の構成は、実施の形態３と同様である。
【００４０】
以上説明したように、この発明の実施の形態４に係るエレベータ釣合重り搬出入装置によれば、ガイドレール１０１に固定される固定部材１と、固定部材１と乗場１０５とに渡って設けられる引出レール２Ｄとを備え、引出レール２Ｄは、釣合重り１０２が引出レール２Ｄに沿って移動するように釣合重り１０２をスライド可能に支持し、釣合重り１０２が引出レール２Ｄに対してスライドすることによって、釣合重り１０２が昇降路１００から乗場１０５に搬出されるので、釣合重り１０２にローラ装置を取り付けることがなくなり、既設の釣合重り１０２を昇降路１００から乗場１０５に搬出する作業効率をさらに向上させることができる。
【００４１】
また、エレベータ釣合重り搬出入装置は、乗場１０５に設けられ、引出レール２Ｄを通過した釣合重り１０２を支持する台車７を備えているので、引出レール２Ｄを通過した釣合重り１０２を乗場１０５から容易に他の場所へ移動させることができる。
【００４２】
また、台車７は、釣合重り１０２が台車７に対して昇降路１００の奥行方向に移動するように釣合重り１０２をスライド可能に支持するので、釣合重り１０２を容易に台車７に載せることができる。
【符号の説明】
【００４３】
１  固定部材、２Ａ、２Ｂ、２Ｃ、２Ｄ  引出レール、３Ａ、３Ｂ  ローラ装置、４  固定部材、５  支持装置、６  サポート（支持部材）、７  台車、１１  支持部、１２  横板、１３  背面部、１４  カム部、１５  連結部、１６  回動軸、２１  底板部、２２  縦板部、２３  ボルト、２４  レール本体部、２５  ローラ、３１  回転軸、３２  支持部、３３Ａ、３３Ｂ  ローラ、３４  ボルト、４１  支持部、４２  横板、５１  チェーンブロック、５２  ワイヤ、５３  フック部、５４  フック部、７１  台車本体部、７２  ローラ、１００  昇降路、１０１  ガイドレール、１０２  釣合重り、１０３  釣合重り枠、１０４  重り板、１０５  乗場、１０６  レール本体部、１０７  平板部、１０８  ピット、３３１  溝。
【図１】
0006351516.tif 000002
【図２】
0006351516.tif 000003
【図３】
0006351516.tif 000004
【図４】
0006351516.tif 000005
【図５】
0006351516.tif 000006
【図６】
0006351516.tif 000007
【図７】
0006351516.tif 000008
【図８】
0006351516.tif 000009
【図９】
0006351516.tif 000010
【図１０】
0006351516.tif 000011
【図１１】
0006351516.tif 000012